(57)【要約】      （修正有）【課題】ベッド用マットレスの使用時、スプリングによる接触騒音を防止し、連結端が本体スプリングの最上端巻線に反復的に摩擦接触することによるスプリング自体の変形を防止する。【解決手段】コイル形態の本体スプリング１０と、この本体スプリング１０の上下部に水平に巻かれた上端及び下端スプリング１８と、前記上端スプリング１６の上部一体に形成された露出線スプリング２０と、前記上端スプリング１６と露出線スプリング２０一体を結ぶ連結端２４を含むベッドマットレス用スプリング構造において、前記連結端２４に前記本体スプリング１０の最上端巻線１２の外側に位置された前記上端スプリング１６の終端から上方向へ斜めに折り曲げられた第１接触防止端３０を形成する。【選択図】図１ａ
2007244841.tif 000002
【特許請求の範囲】
【請求項１】
コイル形態の本体スプリングと、この本体スプリングの上下部に水平に巻かれた上端及び下端スプリングと、前記上端スプリングの上側一体に形成された露出線スプリングと、前記上端スプリングと露出線スプリング一体を結ぶ連結端を含むベッドマットレス用スプリング構造において、
前記上端スプリングと露出線スプリング一体を結ぶ連結端に前記本体スプリングの最上端巻線の外側に位置された前記上端スプリングの終端から上方向へ斜めに折り曲げられた第１接触防止端を形成することを特徴とするベッドマットレス用スプリング構造。
【請求項２】
コイル形態の本体スプリングと、この本体スプリングの上下部に水平に巻かれた上端及び下端スプリングと、前記上端スプリングの上側一体に形成された露出線スプリングと、前記上端スプリングと露出線スプリング一体を結ぶ連結端を含むベッドマットレス用スプリング構造において、
前記上端スプリングと露出線スプリング一体を結ぶ連結端に前記本体スプリングの最上端巻線の外側に位置された前記上端スプリングの終端から上方向へ斜めに折り曲げられた第１接触防止端を形成し、
前記第１接触防止端の下側に位置された前記本体スプリングの最上端巻線に上方向へ斜めに折り曲げられた第２接触防止端を形成することを特徴とするベッドマットレス用スプリング構造。
【請求項３】
コイル形態の本体スプリングと、この本体スプリングの上下部に水平に巻かれた上端及び下端スプリングと、前記上端スプリングの上側一体に形成された露出線スプリングと、前記上端スプリングと露出線スプリング一体を結ぶ連結端を含むベッドマットレス用スプリング構造において、
前記上端スプリングと露出線スプリング一体を結ぶ連結端に前記本体スプリングの最上端巻線の外側に位置された前記上端スプリングの終端から上方向へ斜めに折り曲げられた第１接触防止端を形成し、
前記下端スプリングの下側に露出線スプリング一体を形成しながら、前記下端スプリングと露出線スプリングとの間の連結端に前記第１接触防止端を同様に形成することを特徴とするベッドマットレス用スプリング構造。
【請求項４】
コイル形態の本体スプリングと、この本体スプリングの上下部に水平に巻かれた上端及び下端スプリングと、前記上端スプリングの上側一体に形成された露出線スプリングと、前記上端スプリングと露出線スプリング一体を結ぶ連結端を含むベッドマットレス用スプリング構造において、
前記上端スプリングと露出線スプリング一体を結ぶ連結端に前記本体スプリングの最上端巻線の外側に位置された前記上端スプリングの終端から上方向へ斜めに折り曲げられた第１接触防止端を形成し、
前記第１接触防止端の下側に位置された前記本体スプリングの最上端巻線に上方向へ斜めに折り曲げられた第２接触防止端を形成し、
前記下端スプリングの下側に露出線スプリング一体を形成しながら、前記下端スプリングと露出線スプリングとの間の連結端に前記第１接触防止端を同様に形成すると同時に、前記下端スプリングから本体スプリングの最下端巻線に結ばれる部分に前記第２接触防止端を同様に形成することを特徴とするベッドマットレス用スプリング構造。
【請求項５】
コイル形態の本体スプリングと、この本体スプリングの上下部に水平に巻かれた上端及び下端スプリングと、前記上端スプリングの上側一体に形成された露出線スプリングと、前記上端スプリングと露出線スプリング一体を結ぶ連結端を含むベッドマットレス用スプリング構造において、
前記上端スプリングと露出線スプリング一体を結ぶ連結端に前記本体スプリングの最上端巻線の外側に位置された前記上端スプリングの終端から上方向へ斜めに折り曲げられた第１接触防止端を形成し、
前記第１接触防止端の下側に位置された前記本体スプリングの最上端巻線に上方向へ斜めに折り曲げられた第２接触防止端を形成し、
前記下端スプリングから本体スプリングの最下端巻線に結ばれる部分に前記第２接触防止端を同様に形成することを特徴とするベッドマットレス用スプリング構造。
【請求項６】
前記第１及び第２接触防止端の高さが５〜４０ｍｍであることを特徴とする請求項１〜５のうちいずれかに記載のベッドマットレス用スプリング構造。
【請求項７】
前記本体スプリングの垂直軸に対する前記第１及び第２接触防止端の傾斜角が０°〜６０°の範囲であることを特徴とする請求項１〜５のうちいずれかに記載のベッドマットレス用スプリング構造。
【発明の詳細な説明】
【技術分野】
【０００１】
本発明は、ベッドマットレス用スプリング構造に関し、更に詳しくは、ベッドマットレス用本体スプリング及び露出線スプリングとを結ぶ連結端構造を本体スプリングの最上端巻線に触れない構造に改善し、接触時の騒音を防止すると共に摩擦接触によるスプリングの変形を防止することができ、スプリングの弾性強度を更に強化してスプリングの寿命を延ばしたベッドマットレス用スプリング構造に関する。
【背景技術】
【０００２】
一般的に、ベッド用マットレスはベッドのフレーム上に搭載され、クッション力及び緩衝力を提供する手段として、基本的にスプリング組立体と、このスプリング組立体の上下面に積層、付着される中間部材と、スプリング組立体の周辺面に差し込まれて付着されるエッジフォーマーと、前記中間部材及びエッジフォーマーの表面を包むカバー部材などを含め製作されている。
【０００３】
特に、前記スプリング組立体はマットレスの面積にわたり等間隔で配列されるスプリングと、このスプリングを結束させるらせんコイル（helical coil）で構成される。
【０００４】
ここで、本発明の理解のためベッド用マットレスの製作工程を添付した図１３を参照にして簡略に見てみると下記の通りである。
【０００５】
多数のスプリング１をマットレス面積にわたり左右等間隔で配列させると同時に、らせんコイルで固定させて構成されるスプリング組立体２の製作段階と、前記スプリング組立体２の周辺面に支持手段として、エッジフォーマー３（edge former）を挿入、付着した後、前記スプリング組立体２の上下面に中間部材４として、フェルト及び不織布を含む数重のクッション手段を連続的に積層する段階と、前記中間部材４の上下面及び周辺面そしてエッジフォーマー３の外表面などをカバー５でかぶせた後、カバー５の継ぎ目を縫合手段６で縫合処理する段階を通してベッド用マットレス８００の製作が行われる。
【０００６】
したがって、使用者の就寝または休息時にマットレスに加えられる荷重が前記中間部材のクッション力及びスプリングの緩衝力により吸収及び緩衝され、使用者は便利さ及び快適感を感じるようになる。
【０００７】
ここで、スプリング組立体を構成する従来のベッドマットレス用スプリング構造を見てみると下記の通りである。
【０００８】
添付した図１０ａ及び図１０ｂは従来のスプリング構造についての一例を表す斜視図及び側面図である。
【０００９】
図１０ａ及び図１０ｂに図示したように、従来のスプリング６００は中央部から上下方向にその直径が次第に大きくなるコイル形態の本体スプリング１０と、前記本体スプリング１０の最上端巻線１２の終端部分で水平に巻かれて延長された上端スプリング１６と、前記本体スプリング１０の最下端巻線１４の終端部分で水平に巻かれて延長された下端スプリング１８に分けることができる。
【００１０】
この時、前記上端スプリング１６の終端は前記本体スプリング１０の最上端巻線１２の終端部分にねじられる形で固定され、前記下端スプリング１８の終端は前記本体スプリング１０の最下端巻線１４の終端部分にねじられる形で固定される。
【００１１】
しかし、前記従来のスプリングを適用してベッド用マットレスを製作した時、下記のような短所を有する。
【００１２】
マットレスに加えられる荷重はスプリングで最終緩衝して吸収されるため、大小全ての荷重をスプリングが最終的に緩衝して吸収する。
【００１３】
このように互いに異なる荷重が不規則的に集中すると、スプリングの変形が早く進んでしまう憂慮があり、またスプリングの変形により隣り合うスプリング同士が接触して騒音発生の原因になる得る。
【００１４】
このような点を勘案し、大小の荷重を別途に分散、緩衝させることができるようにした二重緩衝構造を有する異なる形態のスプリングが製作され、その形状は添付した図１１ａ乃至図１１ｃに図示した通りである。
【００１５】
図１１ａ乃至図１１ｃに図示した通り、従来の異なる形態を有するスプリング７００は、図１０ａ及び図１０ｂに図示されたスプリング構造のように中央部で上下方向にその直径が大きくなるコイル形態の本体スプリング１０と、前記本体スプリング１０の最上端巻線１２の終端部分で水平に巻かれて延長された上端スプリング１６と、前記本体スプリング１０の最下端巻線１４の終端部分で水平に巻かれて延長された下端スプリング１８に分けることができ、前記上端スプリング１６の上側一体に別途の露出線スプリング２０が形成されている点に特徴がある。
【００１６】
この時、前記上端スプリング１６の終端は前記露出線スプリング２０と一体に連結され、前記下端スプリング１８の終端は前記本体スプリング１０の最下端巻線１４の終端部分にねじられる形で固定される。
【００１７】
前記露出線スプリング２０は本体スプリング１０より小さい直径を持ちながらコイル形態に巻かれた形状を有し、前記本体スプリング１０に比べて容易に圧縮変形される弾性力を有する。
【００１８】
特に、前記上端スプリング１６の終端から露出線スプリング２０に延長された部分（以下、連結端と称す）が全体スプリングの垂直中心軸方向に向かってらせん型に伸びているため、上から見た時に前記連結端２４とその真下に位置する前記本体スプリング１０の最上端巻線１２が互いに交差された状態になる。
【００１９】
したがって、ベッドマットレスに小さい荷重（使用者が寝返る程度の荷重）が加えられる場合には前記露出線スプリング２０でその衝撃を緩衝／吸収し、マットレスに大きな荷重（使用者が瞬間的に座るなどの荷重）が加えられる場合には前記本体スプリング１０でその衝撃を緩衝／吸収する。
【００２０】
このようにベッドマットレスに加えられる荷重の大きさにより、前記本体スプリングと露出線スプリングでその緩衝機能を別途に行うことで、スプリングの変形防止及び寿命延長効果を得ることができる。
【００２１】
しかし、従来の異なる形態を有するスプリングは下記のような短所を有する。
【００２２】
添付した図１２に図示されたように、ベッドマットレスに荷重が加えられると共に露出線スプリング２０の圧縮が行われ、同時に前記上端スプリング１６の終端と前記露出線スプリング２０を結んでいる連結端２４にも圧縮荷重が加えられると、前述したように上から見た時に前記連結端２４とその真下に位置する前記本体スプリング１０の最上端巻線１２が互いに交差された状態であるため、前記連結端２４が下降しながらその真下に位置した前記本体スプリング１０の最上端巻線１２に触れて接触騒音を発生させるという短所がある。
【００２３】
また、ベッドマットレスに大きな荷重が加えられる場合には、前記露出線スプリング２０が圧縮されると同時に前記本体スプリング１０が圧縮されるため、前記露出線スプリング２０が圧縮される時に前記連結端２４が同時に下降しながら前記本体スプリング１０の最上端巻線１２に更に大きな衝撃で触れ、結局騒音を更に大きく発生させてしまう。
【００２４】
このように、ベッド用マットレスの使用時、スプリングによる接触騒音は使用者へ大きなストレスとなるため、ベッド用マットレス製品の致命的な短所になり得る。
【００２５】
また、前記連結端が本体スプリングの最上端巻線に反復的に摩擦接触をすると、早いうちにスプリング自体の変形を招いたりもする。
【発明の開示】
【発明が解決しようとする課題】
【００２６】
本発明は、前述した短所を勘案して案出したもので、ベッドマットレス用本体スプリングと露出線スプリングとを結ぶ連結端構造を本体スプリングの最上端巻線に触れない構造に改造し、マットレスに加えられる荷重により露出線スプリングが圧縮される時に前記連結端が本体スプリングの巻線に全く触れないようにすることで、接触騒音を源泉的に防止することができ、摩擦接触によるスプリングの変形を防止することができ、スプリングの弾性強度を更に強化させてスプリングの寿命を延ばしたベッドマットレス用スプリング構造を提供することにその目的がある。
【課題を解決するための手段】
【００２７】
前述した目的を達成するための本発明の一具現例は、
コイル形態の本体スプリングと、この本体スプリングの上下部に水平に巻かれた上端及び下端スプリングと、前記上端スプリングの上側一体に形成された露出線スプリングと、前記上端スプリングと露出線スプリング一体を結ぶ連結端を含むベッドマットレス用スプリング構造において、前記上端スプリングと露出線スプリング一体を結ぶ連結端に前記本体スプリングの最上端巻線の外側に位置された前記上端スプリングの終端から上方向へ斜めに折り曲げられた第１接触防止端を形成することを特徴とするベッドマットレス用スプリング構造を提供する。
【００２８】
前述した目的を達成するための本発明の別の具現例は、
コイル形態の本体スプリングと、この本体スプリングの上下部に水平に巻かれた上端及び下端スプリングと、前記上端スプリングの上側一体に形成された露出線スプリングと、前記上端スプリングと露出線スプリング一体を結ぶ連結端を含むベッドマットレス用スプリング構造において、前記上端スプリングと露出線スプリング一体を結ぶ連結端に前記本体スプリングの最上端巻線の外側に位置された前記上端スプリングの終端から上方向へ斜めに折り曲げられた第１接触防止端を形成し、前記第１接触防止端の下側に位置された前記本体スプリングの最上端巻線に上方向へ斜めに折り曲げられた第２接触防止端を形成することを特徴とするベッドマットレス用スプリング構造を提供する。
【００２９】
前述した目的を達成するための本発明のまた別の具現例は、
コイル形態の本体スプリングと、この本体スプリングの上下部に水平に巻かれた上端及び下端スプリングと、前記上端スプリングの上側一体に形成された露出線スプリングと、前記上端スプリングと露出線スプリング一体を結ぶ連結端を含むベッドマットレス用スプリング構造において、前記上端スプリングと露出線スプリング一体を結ぶ連結端に前記本体スプリングの最上端巻線の外側に位置された前記上端スプリングの終端から上方向へ斜めに折り曲げられた第１接触防止端を形成し、前記下端スプリングの下側一体に露出線スプリングを更に形成しながら、前記下端スプリングと露出線スプリングの連結端に前記第１接触防止端を同様に形成することを特徴とするベッドマットレス用スプリング構造を提供する。
【００３０】
前述した目的を達成するための本発明のまた別の具現例は、
コイル形態の本体スプリングと、この本体スプリングの上下部に水平に巻かれた上端及び下端スプリングと、前記上端スプリングの上側一体に形成された露出線スプリングと、前記上端スプリングと露出線スプリング一体を結ぶ連結端を含むベッドマットレス用スプリング構造において、 前記上端スプリングと露出線スプリング一体を結ぶ連結端に前記本体スプリングの最上端巻線の外側に位置された前記上端スプリングの終端から上方向へ斜めに折り曲げられた第１接触防止端を形成し、前記第１接触防止端の下側に位置された前記本体スプリングの最上端巻線に上方向へ斜めに折り曲げられた第２接触防止端を形成し、前記下端スプリングの下側一体に露出線スプリングを更に形成しながら前記下端スプリングと露出線スプリングの連結端に前記第１接触防止端を同様に更に形成すると同時に、前記下端スプリングで本体スプリングの最下端巻線に結ばれる部分に前記第２接触防止端を同様に更に形成することを特徴とするベッドマットレス用スプリング構造を提供する。
【００３１】
前述した目的を達成するための本発明のまた別の具現例は、
コイル形態の本体スプリングと、この本体スプリングの上下部に水平に巻かれた上端及び下端スプリングと、前記上端スプリングの上側一体に形成された露出線スプリングと、前記上端スプリングと露出線スプリング一体を結ぶ連結端を含むベッドマットレス用スプリング構造において、前記上端スプリングと露出線スプリング一体を結ぶ連結端に前記本体スプリングの最上端巻線の外側に位置された前記上端スプリングの終端から上方向へ斜めに折り曲げられた第１接触防止端を形成し、前記第１接触防止端の下側に位置された前記本体スプリングの最上端巻線に上方向へ斜めに折り曲げられた第２接触防止端を形成し、前記下端スプリングで本体スプリングの最下端巻線に結ばれる部分に前記第２接触防止端を同様に更に形成することを特徴とするベッドマットレス用スプリング構造を提供する。
【００３２】
好ましい具現例として、前記第１及び第２接触防止端の高さは５〜４０ｍｍであることを特徴とする。
【００３３】
また、前記本体スプリングの垂直軸に対する前記第１及び第２接触防止端の傾斜角は０°〜６０°の範囲であることを特徴とする。
【発明の効果】
【００３４】
本発明によるベッドマットレス用スプリング構造によると、ベッドマットレス用本体スプリングと露出線スプリングとを結ぶ連結端構造を本体スプリングの最上端巻線に触れない構造に改善し、下記のような長所を提供する。
【００３５】
１）本体スプリングと露出線スプリングとを結ぶ連結端に第１接触防止端を形成し、マットレスに加えられる荷重により露出線スプリングが圧縮される時、前記第１接触防止端が下降しながら本体スプリングの最上端巻線に全く触れなくなるため接触騒音を源泉的に防止することができ、摩擦接触によるスプリングの変形を防止することができる。
【００３６】
２）第１接触防止端以外に上端スプリングと本体スプリングとの間に第２接触防止端を更に形成し、前記第１接触防止端が下降しながら第２接触防止端の後方に位置されたり、更に下降しても本体スプリングの最上端巻線を接触なしに通り過ぎるため、接触騒音を更に源泉的に防止することができ、摩擦接触によるスプリングの変形を更に防止することができる。
【００３７】
３）本体スプリングと露出線スプリングとを結ぶ連結端に第１接触防止端を形成することによりスプリングの弾性強度を更に増大させることができ、それによりスプリングの寿命を延ばすことができる。
【発明を実施するための最良の形態】
【００３８】
以下、本発明の具現例を添付図面を参照にして更に詳しく説明する。
【００３９】
添付した図１ａ、図１ｂ、図１ｃは各々、本発明の具現例１によるベッドマットレス用スプリングを表す斜視図、正面図、側面図で、添付した図２ａ、図２ｂ、図２ｃは具現例１によるスプリングをスプリング組立体に組み立てた状態を表す斜視図、正面図、側面図で、図３ａ及び図３ｂは具現例１によるスプリングの圧縮作用状態を説明する正面図及び側面図である。
【００４０】
前述した通り、ベッドマットレスに加えられる荷重の大きさにより、その緩衝機能を別途に行うベッドマットレス用スプリングは、コイル形態の本体スプリング１０と、この本体スプリング１０の上下部に水平に巻かれた上端スプリング１６及び下端スプリング１８と、前記上端スプリング１６の上側一体に形成された露出線スプリング２０と、前記上端スプリング１６と露出線スプリング２０一体を結ぶ連結端２４を含む構成である。
【００４１】
特に、前記露出線スプリング２０は本体スプリング１０より小さい直径を持ちながら次第に直径が狭くなり、コイル形態に巻かれた形状を有する。
【００４２】
前記本体スプリング１０及び露出線スプリング２０を含むベッドマットレス用スプリングの単品は、マットレス面積にわたり左右等間隔に配列されると同時に、互いに隣り合うベッドマットレス用スプリングの上端スプリング１６及び下端スプリング１８の一側端がらせんコイル２６（helical coil）により互いに結合、固定され、添付した図２ａ乃至図２ｃに図示されたようにスプリング組立体２８へと作られる。
【００４３】
ここで、本発明の具現例１によるスプリング１００は、前記連結端２４に第１接触防止端３０を形成した点に特徴があり、ベッドマットレスに荷重が加えられると共に露出線スプリング２０が圧縮される時、前記第１接触防止端３０は真下に位置する前記本体スプリング１０の最上端巻線１２に接触せずに下降移動をするため、接触騒音を防止する効果を提供する。
【００４４】
より詳しくは、前記第１接触防止端３０は、前記本体スプリング１０の最上端巻線１２の外側に位置された前記上端スプリング１６の終端から上方向（垂直方向）へ斜めに折り曲げられて形成された区間である。
【００４５】
更に詳しくは、上から見た時に前記第１接触防止端３０は交差されたり重なることなく前記本体スプリング１０の最上端巻線１２の外側に位置された状態であるため、前記露出線スプリング２０の圧縮時に同時に下降する第１接触防止端３０は前記本体スプリング１０の最上端巻線１２を接触なしにそのまま下降し、従来のスプリングで発生していた接触現象及び騒音が防止される。
【００４６】
従来のスプリング構造（図１１ａ乃至図１１ｃ参照）によると、前記上端スプリング１６の終端と露出線スプリング２０との間一体を結ぶ連結端２４がらせん型に延長されながら、上から見た時に真下に位置する前記本体スプリング１０の最上端巻線１２と互いに交差された状態になる。
【００４７】
したがって、従来はベッドマットレスに荷重が加えられると、前記露出線スプリング２０の圧縮と共に連結端２４が下降しながら真下に位置する前記本体スプリング１０の最上端巻線１２に触れて騒音を発生させるという短所があった。
【００４８】
しかし、本発明の具現例１によるスプリング構造、即ち前記連結端２４に第１接触防止端３０が具備されることで、図３ａ及び図３ｂで見られるように、ベッドマットレスに荷重が加えられると共に露出線スプリング２０が圧縮される時、前記第１接触防止端３０は真下に位置する前記本体スプリング１０の最上端巻線１２に接触せずにそのまま下降移動をするため、結局接触騒音自体を完全になくすことができる。
【００４９】
ここで、本発明によるベッドマットレス用スプリング構造の具現例２を説明すると下記の通りである。
【００５０】
添付した図４ａ、図４ｂ、図４ｃは本発明によるベッドマットレス用スプリングの具現例２を表す斜視図で、図５ａ、図５ｂ、図５ｃは具現例２によるスプリングをスプリング組立体に組み立てた状態を表す斜視図、正面図、側面図で、図６ａ及び図６ｂは具現例２によるスプリングの圧縮作用状態を説明する正面図及び側面図である。
【００５１】
本発明の具現例２によるスプリング２００は具現例１のスプリング１００の構造と同一だが、前記本体スプリング１０の最上端巻線１２に第２接触防止端３２を形成した点に特徴がある。
【００５２】
より詳しくは、前記本体スプリング１０の最上端巻線１２の終端部分と前記上端スプリング１６の始端部分との連結部位に第２接触防止端３２が上方向へ斜めに折り曲げられて形成される。
【００５３】
この時、図４ｂの側面図から見られるように、前記第２接触防止端３２の後方空間（本体スプリングの最上端巻線の真上の空間）が接触防止空間３４へと形成されるが、その理由はベッドマットレスに荷重が加えられると共に露出線スプリング２０が圧縮される時、前記第１接触防止端３０が下降しながら第２接触防止端３２の後方空間に位置するため前記本体スプリング１０の最上端巻線１２との接触が全く起きなくなる。
【００５４】
一方、図４ｄに図示された通り、前記第２接触防止端３２を下端スプリング１８の最下端巻線１４にも第２接触防止端３２を同様に形成するため、本体スプリング１０の弾性強度をより補強することができる。
【００５５】
即ち、添付した図４ｄそして図６ａ及び図６ｂから見られるように、ベッドマットレスに荷重が加えられると共に露出線スプリング２０が圧縮される時、前記第１接触防止端３０も下降をして前記第２接触防止端３２の後方空間、即ち接触防止空間３４に位置するため、結局前記第１接触防止端３０と本体スプリング１０の最上端巻線１２との間の接触が全く起きなくなり、接触騒音の発生を源泉的に防止することができ、このような作動時に同時に得られる効果として、前記第１接触防止端３０が下降する時に前記下端スプリング１８の最下端巻線１４に形成された第２接触防止端３２が本体スプリング１０を支持する役割をするため、前記本体スプリング１０の弾性強度を更に増大させることができる。
【００５６】
万一、ベッドマットレスにとても大きな荷重が加えられる場合には、前記第１接触防止端３０は第２接触防止端３２の接触防止空間３４を通り過ぎて最上端巻線１２の方に更に下降するが、この時前記第１接触防止端３０は前記本体スプリング１０の最上端巻線１２の外側を通じて接触なしに下降移動をするため、結局大きな荷重が加えられても前記第１接触防止端３０と本体スプリング１０の最上端巻線１２との間の接触自体が全く発生しなくなる。
【００５７】
このように、本発明の具現例１及び具現例２によるスプリング構造によると、上記のような第１及び第２接触防止端３０、３２の接触防止機能により騒音発生を完全に防止することができるようになる。
【００５８】
一方、前記第１及び第２接触防止端３０、３２の高さは５〜４０ｍｍの範囲で、高さを限定した理由は５ｍｍ以下だと第１及び第２接触防止端３０、３２の形成作業自体が難しく、４０ｍｍ以上だとスプリング本来の能力を喪失するためである。
【００５９】
また、前記本体スプリング１０の垂直軸に対する前記第１及び第２接触防止端３０、３２の傾斜角は０°〜６０°の範囲に限定するが、その理由は０°だと露出線スプリング２０の剛性が最も良く、６０°以上だと露出線スプリングの剛性が弱くなると共に露出線スプリング２０の衝撃吸収機能が落ちるためである。
【００６０】
添付した図７は、本発明によるベッドマットレス用スプリングの具現例３として、具現例１のスプリングと同一だが、その下端部に露出線スプリングが連結された状態を表す側面図である。
【００６１】
図７に図示された具現例３のスプリング３００の特徴は、前記露出線スプリング２０を上端スプリング１６の上側だけでなく下端スプリング１８の下側一体にも連結した点にあり、もちろん前記下端スプリング１８及び露出線スプリング２０の間にも接触騒音防止のため第１接触防止端３０が形成される。
【００６２】
添付した図８は、本発明によるベッドマットレス用スプリングの具現例４として、実施例２のスプリングと同一だが、その下端部に露出線スプリングが連結された状態を表す側面図である。
【００６３】
図８に図示した具現例４のスプリング４００の特徴は、前記露出線スプリング２０を上端スプリング１６の上側だけでなく下端スプリング１８の下側一体にも連結した点にあり、もちろん前記下端スプリング１８及び露出線スプリング２０との間に第１接触防止端３０が形成されると同時に下端スプリング１８と本体スプリング１０の最下端巻線１４との間に第２接触防止端３２が形成される。
【００６４】
添付した図９ａ及び図９ｂは、本発明によるベッドマットレス用スプリングの具現例５として、従来のコイルスプリングの上端部に露出線スプリングが連結された状態を表す斜視図である。
【００６５】
図９ａ及び図９ｂに図示された具現例５のスプリング５００の特徴は、従来のコイル形態のスプリング（図１０ａ及び図１０ｂ参照）の上端スプリング１６に、または上端及び下端スプリング１８に前記露出線スプリング２０一体を連結した点にあり、同じように前記上端及び下端の少なくとも一方のスプリングと前記露出線スプリング２０との間の連結端に第１接触防止端３０が形成される。
【００６６】
このように、本発明によるとスプリングの種類に関係なく、本体スプリング１０の上部に、または上部及び下部に露出線スプリング２０を連結して使用することができ、この露出線スプリング２０が連結された場合には、前述のように第１接触防止端３０のみを、または第１及び第２接触防止端３０、３２を形成するため、スプリング間の接触及びその接触による騒音を防止させることができる。
【００６７】
以上、説明した本発明の各具現例によるスプリングにおいて、
ｉ）前記上端スプリング１６とその上側の露出線スプリング２０との間の連結部位に第１接触防止端３０を形成したり、
ii）前記上端スプリング１６とその上側の露出線スプリング２０との間の連結部位に第１接触防止端３０を形成すると同時に、前記本体スプリング１０の最上端巻線１２から上端スプリング１６に延長された部分に第２接触防止端３２を形成したり、
iii）前記上端スプリング１６とその上側の露出線スプリング２０との間の連結部位に第１接触防止端３０を形成すると同時に、前記下端スプリング１８とその下側の露出線スプリングとの間の連結部位に第１接触防止端３０を同様に形成したり、
iv）前記上端スプリング１６とその上側の露出線スプリング２０との間の連結部位に第１接触防止端３０を形成すると同時に、前記本体スプリング１０の最上端巻線１２から上端スプリング１６に延長された部分に第２接触防止端３２を形成し、前記下端スプリング１８とその下側の露出線スプリング２０との間の連結部位に前記第１接触防止端３０を同様に形成すると同時に、下端スプリング１８から本体スプリング１０の最下端巻線１４に結ばれる部分に前記第２接触防止端３２を同様に形成したり、
ｖ）前記上端スプリング１６とその上側の露出線スプリング２０との間の連結部位に第１接触防止端３０を形成すると同時に、前記本体スプリング１０の最上端巻線１２から上端スプリング１６に延長された部分に第２接触防止端３２を形成し、前記下端スプリング１８から本体スプリング１０の最下端巻線１４に結ばれる部分に前記第２接触防止端３２を同様に形成し、
二重の緩衝構造を有するスプリングとして、ベッドマットレスに加えられる荷重の大きさにより前記本体スプリングと露出線スプリングでその緩衝機能を別途に行うことで、スプリングの変形防止及び寿命延長効果を得ることができ、特に第１接触防止端３０または第１及び第２接触防止端３０、３２によりスプリングの剛性が増大されると共に接触騒音が源泉的に防止される。
【図面の簡単な説明】
【００６８】
【図１ａ】図１ａは、本発明によるベッドマットレス用スプリングの１具現例を表す斜視図である。
【図１ｂ】図１ｂは、本発明によるベッドマットレス用スプリングの１具現例を表す正面図である。
【図１ｃ】図１ｃは、本発明によるベッドマットレス用スプリングの１具現例を表す側面図である。
【図２ａ】図２ａは、具現例１によるスプリングをスプリング組立体に組み立てた状態を表す斜視図である。
【図２ｂ】図２ｂは、具現例１によるスプリングをスプリング組立体に組み立てた状態を表す正面図である。
【図２ｃ】図２ｃは、具現例１によるスプリングをスプリング組立体に組み立てた状態を表す側面図である。
【図３ａ】図３ａは、具現例１によるスプリングの圧縮作用を説明する正面図である。
【図３ｂ】図３ｂは、具現例１によるスプリングの圧縮作用を説明する側面図である。
【図４ａ】図４ａは、本発明によるベッドマットレス用スプリングの具現例２を表す斜視図である。
【図４ｂ】図４ｂは、本発明によるベッドマットレス用スプリングの具現例２を表す正面図である。
【図４ｃ】図４ｃは、本発明によるベッドマットレス用スプリングの具現例２を表す側面図である。
【図４ｄ】図４ｄは図４ｃと類似するが、下端スプリングにも第２接触防止端が更に形成された状態を表す側面図である。
【図５ａ】図５ａは、具現例２によるスプリングをスプリング組立体に組み立てた状態を表す斜視図である。
【図５ｂ】図５ｂは、具現例２によるスプリングをスプリング組立体に組み立てた状態を表す正面図である。
【図５ｃ】図５ｃは、具現例２によるスプリングをスプリング組立体に組み立てた状態を表す側面図である。
【図６ａ】図６ａは、具現例２によるスプリングの圧縮作用を説明する正面図である。
【図６ｂ】図６ｂは、具現例２によるスプリングの圧縮作用を説明する側面図である。
【図７】本発明によるベッドマットレス用スプリングの具現例３で、具現例１のスプリングと同一だが、その下端部に露出線スプリングが連結された状態を表す側面図である。
【図８】本発明によるベッドマットレス用スプリングの具現例４で、具現例２のスプリングと同一だが、その下端部に露出線スプリングが連結された状態を表す側面図である。
【図９ａ】図９ａは、本発明によるベッドマットレス用スプリングの具現例５で、従来のコイルスプリングの上端部に露出線スプリングが連結された状態を表す斜視図であり、露出線スプリングが上部に形成された状態を表す。
【図９ｂ】図９ｂは、本発明によるベッドマットレス用スプリングの具現例５で、従来のコイルスプリングの上端部に露出線スプリングが連結された状態を表す斜視図であり、露出線スプリングが上部及び下部に形成された状態を表す。
【図１０ａ】図１０ａは、従来のスプリング構造を表す斜視図である。
【図１０ｂ】図１０ｂは、従来のスプリング構造を表す側面図である。
【図１１ａ】図１１ａは、別の形態を有する従来のスプリング構造を表す斜視図である。
【図１１ｂ】図１１ｂは、別の形態を有する従来のスプリング構造を表す正面図である。
【図１１ｃ】図１１ｃは、別の形態を有する従来のスプリング構造を表す側面図である。
【図１２】図１１ａ及び図１１ｂのスプリングが有する短所を説明するために別の角度で表した斜視図である。
【図１３】通常のベッドマットレス構造を説明するための断面図である。
【符号の説明】
【００６９】
１０    本体スプリング
１２    最上端巻線
１４    最下端巻線
１６    上端スプリング
１８    下端スプリング
２０    露出線スプリング
２４    連結線
２６    らせんコイル
２８    スプリング組立体
３０    第１接触防止端
３２    第２接触防止端
３４    接触防止空間
１００、２００、３００、４００、５００、６００、７００    スプリング
【図１ａ】
2007244841.tif 000003
【図１ｂ】
2007244841.tif 000004
【図１ｃ】
2007244841.tif 000005
【図２ｂ】
2007244841.tif 000006
【図２ｃ】
2007244841.tif 000007
【図３ａ】
2007244841.tif 000008
【図３ｂ】
2007244841.tif 000009
【図４ａ】
2007244841.tif 000010
【図４ｂ】
2007244841.tif 000011
【図４ｃ】
2007244841.tif 000012
【図４ｄ】
2007244841.tif 000013
【図５ｂ】
2007244841.tif 000014
【図５ｃ】
2007244841.tif 000015
【図６ａ】
2007244841.tif 000016
【図６ｂ】
2007244841.tif 000017
【図７】
2007244841.tif 000018
【図８】
2007244841.tif 000019
【図９ａ】
2007244841.tif 000020
【図９ｂ】
2007244841.tif 000021
【図１０ａ】
2007244841.tif 000022
【図１０ｂ】
2007244841.tif 000023
【図１１ａ】
2007244841.tif 000024
【図１１ｂ】
2007244841.tif 000025
【図１１ｃ】
2007244841.tif 000026
【図１２】
2007244841.tif 000027
【図１３】
2007244841.tif 000028
【図２ａ】
2007244841.tif 000029
【図５ａ】
2007244841.tif 000030